(57)【要約】【課題】周辺の再生装置から楽曲情報を収集し、それを元に再生する楽曲を提案することで、視聴する楽曲に変化を付けることができ、興趣性を高める。【解決手段】複数の外部装置から情報を収集する情報収集装置１である。この情報収集装置の制御手段９は、入力手段７から通信開始指示が入力された場合に、通信手段４を制御して他の外部装置に対する通信開始信号を出力させることで、複数の外部装置から、再生中のコンテンツに付随する情報を収集し、収集した複数のコンテンツ付随情報を集計して、情報出力手段８を制御して複数のコンテンツ付随情報の集計結果を出力させる。【選択図】図１
2007148610.tif 000002
【特許請求の範囲】
【請求項１】
複数の外部装置から情報を収集する情報収集装置において、
コンテンツを再生する再生手段と、
再生中のコンテンツに付随する情報を出力自在な他の外部装置と通信する通信手段と、
コンテンツ情報、コンテンツ付随情報及び外部装置から収集した情報を記憶する情報記憶手段と、
情報収集装置に対する設定又は指示が入力される入力手段と、
情報を出力する情報出力手段と、
前記入力手段から通信開始指示が入力された場合に、前記通信手段を制御して他の外部装置に対する通信開始信号を出力させることで、複数の外部装置から、再生中のコンテンツに付随する情報を収集し、収集した複数のコンテンツ付随情報を集計して、前記情報出力手段を制御して複数のコンテンツ付随情報の集計結果を出力させる制御手段と、
を備えることを特徴とする情報収集装置。
【請求項２】
請求項１に記載の情報収集装置において、
前記制御手段は、前記外部装置からの通信開始信号が前記通信手段に入力されると、前記再生手段で再生中のコンテンツに付随する情報を前記情報記憶手段から読み出し、前記通信手段から出力させることを特徴とする情報収集装置。
【請求項３】
請求項１又は２に記載の情報収集装置において、
前記再生手段で再生するコンテンツが、音楽の楽曲であることを特徴とする情報収集装置。
【請求項４】
請求項１〜３のいずれか一項に記載の情報収集装置において、
前記再生手段で再生するコンテンツが、画像を有するものであることを特徴とする情報収集装置。
【請求項５】
請求項１〜４のいずれか一項に記載の情報収集装置において、
前記再生手段の他に、放送を受信する放送受信手段を備えており、
コンテンツ付随情報として、前記放送受信手段で受信している放送に関する情報も収集することを特徴とする情報収集装置。
【請求項６】
請求項１〜５のいずれか一項に記載の情報収集装置において、
前記制御手段は、複数のコンテンツ付随情報の集計結果を、情報出力手段にランキング形式で出力させることを特徴とする情報収集装置。
【請求項７】
請求項１〜６のいずれか一項に記載の情報収集装置において、
エージェントのエージェント情報を記憶するエージェント情報用記憶手段を更に備え、
前記情報出力手段は、エージェント情報に基づいた複数のコンテンツ付随情報の集計結果を出力することを特徴とする情報収集装置。
【請求項８】
請求項７に記載の情報収集装置において、
前記エージェント情報用記憶手段は、エージェント情報としてエージェントの画像データを含み、
前記情報出力手段は、画像を表示する表示手段を有し、
前記制御手段は、エージェントの画像データを基に前記情報出力手段を制御して前記表示手段中にエージェントを表示させ、当該エージェントに複数のコンテンツ付随情報の集計結果の案内をさせることを特徴とする情報収集装置。
【請求項９】
請求項７又は８に記載の情報収集装置において、
前記エージェント情報用記憶手段は、複数のエージェントのエージェント情報を記憶しており、
前記制御手段は、前記情報出力手段に出力させる情報の種類に応じて、前記エージェント情報用記憶手段から異なるエージェントのエージェント情報を出力させることを特徴とする情報収集装置。
【請求項１０】
複数の外部装置から情報を収集する情報収集方法において、
入力手段から通信開始指示が入力された場合に、通信手段によって外部装置に対する通信開始信号を出力し、複数の外部装置から、再生手段で再生中のコンテンツに付随する情報を収集する収集工程と、
前記収集工程で収集した複数のコンテンツ付随情報を集計して、情報出力手段により複数のコンテンツ付随情報の集計結果を出力する情報出力工程と、
を有することを特徴とする情報収集方法。
【請求項１１】
請求項１０に記載の情報収集方法において、
前記再生手段で再生するコンテンツが、音楽の楽曲であることを特徴とする情報収集方法。
【請求項１２】
請求項１０又は１１に記載の情報収集方法において、
前記再生手段で再生するコンテンツが、画像を有するものであることを特徴とする情報収集方法。
【請求項１３】
請求項１０〜１２のいずれか一項に記載の情報収集方法において、
前記再生手段の他に、放送を受信する放送受信手段を備えており、
前記収集工程では、コンテンツ付随情報として、前記放送受信手段で受信している放送に関する情報も収集することを特徴とする情報収集方法。
【請求項１４】
請求項１０〜１３のいずれか一項に記載の情報収集方法において、
前記情報出力工程では、複数のコンテンツ付随情報の集計結果を、情報出力手段にランキング形式で出力することを特徴とする情報収集方法。
【請求項１５】
請求項１０〜１４のいずれか一項に記載の情報収集方法において、
前記情報出力工程では、エージェント情報用記憶手段に記憶されたエージェントのエージェント情報に基づいた複数のコンテンツ付随情報の集計結果を出力することを特徴とする情報収集方法。
【請求項１６】
請求項１５に記載の情報収集方法において、
前記情報出力工程では、前記エージェント情報用記憶手段にエージェント情報として含まれるエージェントの画像データを基に、前記情報出力手段に含まれる表示手段中にエージェントの画像を表示し、当該エージェントが複数のコンテンツ付随情報の集計結果の案内をすることを特徴とする情報収集方法。
【請求項１７】
請求項１５又は１６に記載の情報収集方法において、
前記エージェント情報用記憶手段は、複数のエージェントのエージェント情報を記憶しており、
前記情報出力工程では、前記情報出力手段により出力する情報の種類に応じて、前記エージェント情報用記憶手段から異なるエージェントのエージェント情報を出力することを特徴とする情報収集方法。
【請求項１８】
複数のコンテンツ付随情報を収集するためにコンテンツ付随情報の送信を指示する通信開始信号を出力する情報収集装置と、前記通信開始信号を受信して再生中のコンテンツに付随する情報を前記情報収集装置に出力する情報出力装置からなり、収集した複数のコンテンツ付随情報の集計結果を出力するための情報収集システムにおいて、
前記情報収集装置は、通信開始指示が入力された場合に、前記情報出力装置に対して通信開始信号を出力して、前記情報出力装置から再生中のコンテンツに付随する情報を収集し、収集した複数のコンテンツ付随情報を集計して、集計結果を出力し、
前記情報出力装置は、前記情報収集装置から通信開始信号が入力されると、再生中のコンテンツに付随する情報を前記情報収集装置に対して出力することを特徴とする情報収集システム。
【請求項１９】
請求項１８に記載の情報収集システムにおいて、
前記情報出力装置で再生するコンテンツが、音楽の楽曲であることを特徴とする情報収集システム。
【請求項２０】
請求項１８又は１９に記載の情報収集システムにおいて、
前記情報出力装置で再生するコンテンツが、画像を有するものであることを特徴とする情報収集システム。
【請求項２１】
請求項１８〜２０のいずれか一項に記載の情報収集システムにおいて、
前記情報収集装置は、コンテンツ付随情報として、受信している放送に関する情報も収集することを特徴とする情報収集システム。
【請求項２２】
請求項１８〜２１のいずれか一項に記載の情報収集システムにおいて、
前記情報収集装置は、複数のコンテンツ付随情報の集計結果を、ランキング形式で出力することを特徴とする情報収集システム。
【請求項２３】
請求項１８〜２２のいずれか一項に記載の情報収集システムにおいて、
前記情報収集装置は、エージェントのエージェント情報を記憶しており、エージェント情報に基づいた複数のコンテンツ付随情報の集計結果を出力することを特徴とする情報収集システム。
【請求項２４】
請求項２３に記載の情報収集システムにおいて、
前記情報収集装置は、エージェント情報としてエージェントの画像データを含んでおり、当該エージェントの画像データを基にエージェントの画像を表示し、当該エージェントが複数のコンテンツ付随情報の集計結果の案内をすることを特徴とする情報収集システム。
【請求項２５】
請求項２３又は２４に記載の情報収集システムにおいて、
前記情報収集装置は、複数のエージェントのエージェント情報を記憶しており、出力する情報の種類に応じて、異なるエージェントのエージェント情報を出力することを特徴とする情報収集システム。
【請求項２６】
コンピュータに、複数の外部装置からの情報の収集を実行させる情報収集プログラムにおいて、
入力手段から通信開始指示が入力された場合に、通信手段によって外部装置に対する通信開始信号を出力し、複数の外部装置から、再生手段で再生中のコンテンツに付随する情報を収集する収集ステップと、
前記収集ステップで収集した複数のコンテンツ付随情報を集計して、情報出力手段により複数のコンテンツ付随情報の集計結果を出力する情報出力ステップと、
を有することを特徴とするプログラム。
【発明の詳細な説明】
【技術分野】
【０００１】
本発明は、情報収集装置、情報収集方法、情報収集システム及び情報収集プログラムに関する。
【背景技術】
【０００２】
従来、ドライバーの運転中の娯楽と言えば、主にラジオやオーディオなどで音楽を聴くことである。また、従来、車載オーディオ機器の楽曲記憶媒体と言えば、カセットテープ、ＣＤ、ＭＤ等のリムーバルメディアが主流であったが、近年はＨＤＤなどの内蔵型の大容量記憶媒体が普及し、その容量によっては、数百〜千曲もの楽曲に関するデータを記憶することが可能になってきている。
【０００３】
また、通常、運転中に聴く音楽はドライバーの嗜好にあったものであるはずだが、毎回同じ音楽ばかり聴いていたのでは、さすがに聞き飽きてしまう。その際、カセットテープ、ＣＤ、ＭＤ等のリムーバルメディアであれば、記憶媒体そのものを変更すれば、再生する楽曲の変更は簡単に行えるが、ＨＤＤのような内蔵型の大容量記憶媒体の場合、数百曲もの楽曲の中から希望する楽曲を選択するのは困難であり、その作業をドライバーが全て行わなければならないのは不便である。
【０００４】
そこで、再生する楽曲を、ドライバーの嗜好を反映させて自動的に選択するための装置やシステムが提案されている（例えば、特許文献１参照）。
【特許文献１】特開２００１−３４３９７９号公報
【発明の開示】
【発明が解決しようとする課題】
【０００５】
前記したように、再生する楽曲を、ドライバーの嗜好を反映させて自動的に選択できれば、ドライバーの手間は省ける。しかし、聴きたい音楽というものは、その日の気分や環境でも変化することがあるため、ドライバーの嗜好を読み取ることは難しく、逆に、普段のドライバーの嗜好を考慮せずに提案した音楽が、ドライバーのその日の気分に合っているという場合もある。
【０００６】
そこで本発明の課題は、周辺の再生装置から楽曲等のコンテンツに関する情報を収集し、それを元に再生するコンテンツを提案することで、視聴するコンテンツに変化を付けることができ、興趣性を高めることである。
【課題を解決するための手段】
【０００７】
請求項１に記載の発明は、
複数の外部装置から情報を収集する情報収集装置において、
コンテンツを再生する再生手段と、
再生中のコンテンツに付随する情報を出力自在な他の外部装置と通信する通信手段と、
コンテンツ情報、コンテンツ付随情報及び外部装置から収集した情報を記憶する情報記憶手段と、
情報収集装置に対する設定又は指示が入力される入力手段と、
情報を出力する情報出力手段と、
前記入力手段から通信開始指示が入力された場合に、前記通信手段を制御して他の外部装置に対する通信開始信号を出力させることで、複数の外部装置から、再生中のコンテンツに付随する情報を収集し、収集した複数のコンテンツ付随情報を集計して、前記情報出力手段を制御して複数のコンテンツ付随情報の集計結果を出力させる制御手段と、
を備えることを特徴としている。
【０００８】
請求項２に記載の発明は、請求項１に記載の情報収集装置において、
前記制御手段は、前記外部装置からの通信開始信号が前記通信手段に入力されると、前記再生手段で再生中のコンテンツに付随する情報を前記情報記憶手段から読み出し、前記通信手段から出力させることを特徴としている。
【０００９】
請求項３に記載の発明は、請求項１又は２に記載の情報収集装置において、
前記再生手段で再生するコンテンツが、音楽の楽曲であることを特徴としている。
【００１０】
請求項４に記載の発明は、請求項１〜３のいずれか一項に記載の情報収集装置において、
前記再生手段で再生するコンテンツが、画像を有するものであることを特徴としている。
【００１１】
請求項５に記載の発明は、請求項１〜４のいずれか一項に記載の情報収集装置において、
前記再生手段の他に、放送を受信する放送受信手段を備えており、
コンテンツ付随情報として、前記放送受信手段で受信している放送に関する情報も収集することを特徴としている。
【００１２】
請求項６に記載の発明は、請求項１〜５のいずれか一項に記載の情報収集装置において、
前記制御手段は、複数のコンテンツ付随情報の集計結果を、情報出力手段にランキング形式で出力させることを特徴としている。
【００１３】
請求項７に記載の発明は、請求項１〜６のいずれか一項に記載の情報収集装置において、
エージェントのエージェント情報を記憶するエージェント情報用記憶手段を更に備え、
前記情報出力手段は、エージェント情報に基づいた複数のコンテンツ付随情報の集計結果を出力することを特徴としている。
【００１４】
請求項８に記載の発明は、請求項７に記載の情報収集装置において、
前記エージェント情報用記憶手段は、エージェント情報としてエージェントの画像データを含み、
前記情報出力手段は、画像を表示する表示手段を有し、
前記制御手段は、エージェントの画像データを基に前記情報出力手段を制御して前記表示手段中にエージェントを表示させ、当該エージェントに複数のコンテンツ付随情報の集計結果の案内をさせることを特徴としている。
【００１５】
請求項９に記載の発明は、請求項７又は８に記載の情報収集装置において、
前記エージェント情報用記憶手段は、複数のエージェントのエージェント情報を記憶しており、
前記制御手段は、前記情報出力手段に出力させる情報の種類に応じて、前記エージェント情報用記憶手段から異なるエージェントのエージェント情報を出力させることを特徴としている。
【００１６】
請求項１０に記載の発明は、
複数の外部装置から情報を収集する情報収集方法において、
入力手段から通信開始指示が入力された場合に、通信手段によって外部装置に対する通信開始信号を出力し、複数の外部装置から、再生手段で再生中のコンテンツに付随する情報を収集する収集工程と、
前記収集工程で収集した複数のコンテンツ付随情報を集計して、情報出力手段により複数のコンテンツ付随情報の集計結果を出力する情報出力工程と、
を有することを特徴としている。
【００１７】
請求項１１に記載の発明は、請求項１０に記載の情報収集方法において、
前記再生手段で再生するコンテンツが、音楽の楽曲であることを特徴としている。
【００１８】
請求項１２に記載の発明は、請求項１０又は１１に記載の情報収集方法において、
前記再生手段で再生するコンテンツが、画像を有するものであることを特徴としている。
【００１９】
請求項１３に記載の発明は、請求項１０〜１２のいずれか一項に記載の情報収集方法において、
前記再生手段の他に、放送を受信する放送受信手段を備えており、
前記収集工程では、コンテンツ付随情報として、前記放送受信手段で受信している放送に関する情報も収集することを特徴としている。
【００２０】
請求項１４に記載の発明は、請求項１０〜１３のいずれか一項に記載の情報収集方法において、
前記情報出力工程では、複数のコンテンツ付随情報の集計結果を、情報出力手段にランキング形式で出力することを特徴としている。
【００２１】
請求項１５に記載の発明は、請求項１０〜１４のいずれか一項に記載の情報収集方法において、
前記情報出力工程では、エージェント情報用記憶手段に記憶されたエージェントのエージェント情報に基づいた複数のコンテンツ付随情報の集計結果を出力することを特徴としている。
【００２２】
請求項１６に記載の発明は、請求項１５に記載の情報収集方法において、
前記情報出力工程では、前記エージェント情報用記憶手段にエージェント情報として含まれるエージェントの画像データを基に、前記情報出力手段に含まれる表示手段中にエージェントの画像を表示し、当該エージェントが複数のコンテンツ付随情報の集計結果の案内をすることを特徴としている。
【００２３】
請求項１７に記載の発明は、請求項１５又は１６に記載の情報収集方法において、
前記エージェント情報用記憶手段は、複数のエージェントのエージェント情報を記憶しており、
前記情報出力工程では、前記情報出力手段により出力する情報の種類に応じて、前記エージェント情報用記憶手段から異なるエージェントのエージェント情報を出力することを特徴としている。
【００２４】
請求項１８に記載の発明は、
複数のコンテンツ付随情報を収集するためにコンテンツ付随情報の送信を指示する通信開始信号を出力する情報収集装置と、前記通信開始信号を受信して再生中のコンテンツに付随する情報を前記情報収集装置に出力する情報出力装置からなり、収集した複数のコンテンツ付随情報の集計結果を出力するための情報収集システムにおいて、
前記情報収集装置は、通信開始指示が入力された場合に、情報出力装置に対して通信開始信号を出力して、前記情報出力装置から再生中のコンテンツに付随する情報を収集し、収集した複数のコンテンツ付随情報を集計して、集計結果を出力し、
前記情報出力装置は、前記情報収集装置から通信開始信号が入力されると、再生中のコンテンツに付随する情報を前記情報収集装置に対して出力することを特徴としている。
【００２５】
請求項１９に記載の発明は、請求項１８に記載の情報収集システムにおいて、
前記情報出力装置で再生するコンテンツが、音楽の楽曲であることを特徴としている。
【００２６】
請求項２０に記載の発明は、請求項１８又は１９に記載の情報収集システムにおいて、
前記情報出力装置で再生するコンテンツが、画像を有するものであることを特徴としている。
【００２７】
請求項２１に記載の発明は、請求項１８〜２０のいずれか一項に記載の情報収集システムにおいて、
前記情報収集装置は、コンテンツ付随情報として、受信している放送に関する情報も収集することを特徴としている。
【００２８】
請求項２２に記載の発明は、請求項１８〜２１のいずれか一項に記載の情報収集システムにおいて、
前記情報収集装置は、複数のコンテンツ付随情報の集計結果を、ランキング形式で出力することを特徴としている。
【００２９】
請求項２３に記載の発明は、請求項１８〜２２のいずれか一項に記載の情報収集システムにおいて、
前記情報収集装置は、エージェントのエージェント情報を記憶しており、エージェント情報に基づいた複数のコンテンツ付随情報の集計結果を出力することを特徴としている。
【００３０】
請求項２４に記載の発明は、請求項２３に記載の情報収集システムにおいて、
前記情報収集装置は、エージェント情報としてエージェントの画像データを含んでおり、当該エージェントの画像データを基にエージェントの画像を表示し、当該エージェントが複数のコンテンツ付随情報の集計結果の案内をすることを特徴としている。
【００３１】
請求項２５に記載の発明は、請求項２３又は２４に記載の情報収集システムにおいて、
前記情報収集装置は、複数のエージェントのエージェント情報を記憶しており、出力する情報の種類に応じて、異なるエージェントのエージェント情報を出力することを特徴としている。
【００３２】
請求項２６に記載の発明は、
コンピュータに、複数の外部装置からの情報の収集を実行させる情報収集プログラムにおいて、
入力手段から通信開始指示が入力された場合に、通信手段によって外部装置に対する通信開始信号を出力し、複数の外部装置から、再生手段で再生中のコンテンツに付随する情報を収集する収集ステップと、
前記収集ステップで収集した複数のコンテンツ付随情報を集計して、情報出力手段により複数のコンテンツ付随情報の集計結果を出力する情報出力ステップと、
を有することを特徴としている。
【発明の効果】
【００３３】
本発明によれば、通信により外部装置のコンテンツ付随情報が収集されるので、異なる装置間でコンテンツ付随情報が共有されることになる。そして、収集した複数のコンテンツ付随情報を集計して、集計結果を出力することが可能となる。これにより、いわゆる「はやり」や他人の嗜好を取り入れたランキングを作成し、そのランキングを元にコンテンツの再生を行うことで、コンテンツ再生に変化を付けることができ、興趣性を高めることができる。
【００３４】
また、エージェント情報に基づいた情報を出力することで、あたかもエージェントによって情報の案内がもたらされたかのように見え、娯楽性を持たせてドライバーの興趣性を高めることができる。
【００３５】
また、表示手段中に表示されたエージェントによって情報の案内が実行されるので、それらを案内するエージェントを視認することができ、より娯楽性を持たせてドライバーの興趣性をさらに高めることができる。
【００３６】
また、複数のエージェントのエージェント情報を記憶しており、情報の種類に応じて、異なるエージェントのエージェント情報を出力することで、ドライバーを飽きさせずに興趣性をより高めることができる。
【発明を実施するための最良の形態】
【００３７】
以下、図面を参照して本発明の実施の形態を詳細に説明する。
まず、本実施形態の情報収集システムに備えられて、自車及び複数の他車に搭載される複数の情報収集装置について図１を参照して説明する。本実施形態の情報収集装置は、コンテンツ付随情報として楽曲に関する情報等を案内する１種類以上のエージェントを有しており、さらには車車間同士で互いに通信可能となっている。なお、複数種類のエージェントを有している場合には、情報の種類に応じて予め指定された異なるエージェントによりそれぞれの案内を実行するようになっている。ここで、エージェントとは、種々の音楽の楽曲等のコンテンツに関する情報の案内等をキャラクタの画像や音声を用いて実行するものである。そして、複数種類のエージェントは、それぞれキャラクタの画像や音声が異なることで種類分けされていて、各エージェントの画像データや音声データが本発明に係るエージェント情報である。また、情報収集装置はその他各動作を実行するためのプログラムを備えている。
【００３８】
また、情報収集装置は、例えば車に搭載されるオーディオ装置や、ポータブルで使用する携帯音楽機器（例えば携帯音楽プレイヤー、携帯電話等）に機能の１つとして備えられる装置であるが、以下の説明においては車載オーディオ装置に備えられた情報収集装置を例にして説明する。また、オーディオ装置等で再生されるコンテンツには、画像を含むものもあるが、本実施形態では、画像を含まない音楽の楽曲を例にして説明する。また、本実施形態では、ラジオチューナーで受信するラジオ放送も楽曲等のコンテンツの１つとして説明する。さらに、ＴＶチューナーを備えていて、ＴＶを受信できるようになっているときには、ＴＶ放送のチャンネル等もコンテンツの１つとしても良い。
【００３９】
図１は車載オーディオ装置に備えられた情報収集装置１の主制御構成を表すブロック図である。この図１に示すように情報収集装置１には、記憶された楽曲を再生する本発明の再生手段としてのオーディオ再生装置２と、ラジオ局からのラジオ放送を流す本発明の放送受信手段としてのラジオチューナー３と、再生中（以下、再生中という表現には受信中を含むものとする）のコンテンツ（楽曲やラジオ放送）に付随する情報（曲名、アーティスト名、ラジオ放送局の周波数等：以下、コンテンツ付随情報という）を出力自在な他車の外部装置と通信する本発明の通信手段としての通信部４と、コンテンツ情報（楽曲そのものの情報）、コンテンツ付随情報及び外部装置から収集した情報を含む種々の情報を記憶する本発明の情報記憶手段としての情報記憶部５と、画像データ及び音声データを含む１種類以上のエージェントのエージェント情報を記憶する本発明のエージェント情報用記憶手段としてのエージェント情報用記憶部６と、情報収集装置１に対する各種設定又は各種指示が入力される本発明の入力手段としての入力部７と、各種情報（提案や案内などを含む）を出力する本発明の情報出力手段としての情報出力部８とが設けられている。
【００４０】
情報記憶部５は、例えばハードディスクドライブ等の大容量記憶媒体でも良いし、メモリカード等のリムーバル記憶媒体でも良いが、コンテンツ情報、当該コンテンツ情報に付随するコンテンツ付随情報、外部装置から収集したコンテンツ付随情報等を記憶できるものとする。また、情報記憶部５が楽曲等のコンテンツ情報を記憶するものと、自らが記憶している楽曲の曲名やアーティスト名等のコンテンツ付随情報及び外部装置からの収集したコンテンツ付随情報を記憶するものの２つに分かれていても良い。その場合、コンテンツ情報を記憶する媒体には、ハードディスクドライブ、ＣＤ、ＤＶＤやメモリカード等が挙げられる。コンテンツ付随情報を記憶する媒体には、ハードディスクドライブ、メモリカード等が挙げられる。
また、エージェント情報用記憶部６は、例えばハードディスクや、ＣＤ、ＤＶＤ、メモリカード等から構成されている。
【００４１】
通信部４の通信方式としては、走行中に他車両の車載オーディオ装置と通信できる方式であれば如何なる通信方式であってもよく、例えば無線ＬＡＮ、ＤＳＲＣ、赤外線通信方式等が挙げられる。
【００４２】
情報出力部８には、オーディオ再生装置２で再生している楽曲のコンテンツ付随情報や、ラジオチューナーで受信しているラジオ放送のコンテンツ付随情報、通信部４を介して収集してきたコンテンツ付随情報、エージェント等の画像が表示される本発明の表示手段としての表示部１０と、音声データを基に案内音声を作成する音声処理部１１と、音声処理部１１で作成された案内音声を出力する音声出力部１２とが設けられている。
【００４３】
入力部７は、情報収集装置１に対する各種設定又は各種指示が入力される例えばタッチパネルや、リモートコントローラ、各種スイッチ等から構成されている。入力部７に入力される各種指示には、通信部４に対する情報送信要求（通信開始指示）、出力情報を設定するための設定指示等が含まれている。また、入力部７として、音声認識装置を有していても良い。この場合には、通信部４に対する情報送信要求を音声認識で行うようになっていても良い。
【００４４】
そして、情報収集装置１には、入力部７から入力された各種指示に基づいて、オーディオ再生装置２、ラジオチューナー３、通信部４、情報記憶部５、エージェント情報用記憶部６及び情報出力部８（表示部１０、音声処理部１１及び音声出力部１２を含む）を情報収集プログラムとしての制御プログラムに基づいて制御する本発明に係る制御手段としての制御部９が設けられている。
【００４５】
制御プログラムに基づいて制御部９は、楽曲等のコンテンツ情報を情報記憶部５に記憶させる際に、ＣＤＤＢ等から当該楽曲のコンテンツ付随情報も記憶させるようになっている。
【００４６】
また、制御部９は、本発明に係る情報収集装置としての自車両の情報収集装置１における情報収集モードがＯＮになっている場合には、通信部４を制御して、自車と同様にコンテンツ付随情報を記憶すると共に当該コンテンツ付随情報を送信出力自在な機能を有する、本発明に係る情報出力装置としての他車両の情報収集装置や、情報収集機能を搭載した携帯機器等の外部装置に対する情報送信要求（通信開始信号）を出力させることで、外部装置（情報出力装置としての他車両の情報収集装置）からコンテンツ付随情報を収集する。ここで、情報収集装置１において、情報収集モードがＯＮになるパターンとしては、ドライバーが入力部７から通信開始指示を入力したときにＯＮとなるようにしても良いし、エンジン始動時から常にＯＮであるように設定されていても良い。また、情報収集モードは、周辺に情報収集可能な他車が存在しなくなるまでＯＮとなっていても良いし、一定時間（例えば、１０分間、１時間等）又は一定量（１００個、２００個等）の情報を収集したらＯＦＦになるように設定されていても良い。また、一旦情報収集モードがＯＮとなったら、一定時間おきに自動で情報送信要求を出力して、定期的に情報を収集するようになっていても良い。なお、情報収集装置は、情報送信要求を受けて情報出力装置としても機能する。
【００４７】
そして、制御部９は、収集したコンテンツ付随情報を集計し、ランキングを作成する。なお、曲名でランキングを作成しても良いし、アーティスト名でランキングを作成しても良い。さらに、ラジオ局の周波数でランキングを作成しても良い。
【００４８】
そして、制御部９は、作成したランキングを、情報出力部７で出力する。
その際、情報出力部７の表示部１０には、エージェントの画像とともにランキングを表示する。また、ランキングの内容を情報出力部７の音声出力部１２からドライバーに音声で通知する。表示と音声はリンクしており、例えばエージェントの画像がランキングを順番に発表していき、その画像にリンクしてエージェントの音声及び効果音が鳴るようになっていると良い。また、このとき、表示するエージェントの画像や報告の音声を、歌番組の司会者風やＤＪ風のキャラクタのものなどにすると、よりランキングの雰囲気が出て娯楽性が増す。
また、ランキングの表示については、全ての情報収集が終わった後でなく、情報収集中に途中経過という形式でランキングの変化を見せても良い。
【００４９】
また、制御部９は、ランキングに基づいてランキング中の楽曲の再生を行うように指示が出された場合、当該楽曲が情報記憶部５に記憶されているものであるときには再生する。また、当該楽曲が情報記憶部５に記憶されていないものであるときには、当該楽曲の曲名やアーティスト名等を購入お勧めリストとして記憶しておき、ドライバーが今後の楽曲選択の参考にできるようにする。また、情報収集装置１がインターネットの楽曲配信サイト等に接続可能となっている場合には、ランキング中にあって情報記憶部５に記憶されていない楽曲をダウンロードして再生可能となっていても良い。
【００５０】
また、他車両の情報収集装置（情報出力装置）の制御部９は、外部装置（自車両の情報収集装置）からの情報送信要求が通信部４に入力されると、現在オーディオ再生装置２で再生中の楽曲（コンテンツ）における曲名、アーティスト名、アルバム名等のコンテンツ付随情報を情報記憶部５から読み出して、通信部４から外部装置に出力するようになっている。さらに、制御部９は、外部装置からの情報送信要求が通信部４に入力されたときに、ラジオチューナー３でラジオ放送を受信している場合には、受信中のラジオ放送局の周波数等のコンテンツ付随情報を、通信部４から外部装置に出力するようになっている。なお、ラジオ放送が文字放送に対応している場合には、ラジオで現在流れている楽曲の曲名やアーティスト名等を、コンテンツ付随情報として外部装置に出力しても良い。
【００５１】
次に、本実施形態の処理について図２〜図４を参照して説明する。
なお、以下の説明においては、外部装置が他車両に搭載された情報収集装置であって、他車両及び自車両ともに本実施形態の情報収集装置１である場合を例示して説明する。以下、本発明に係る情報収集装置としての自車両に関するものにはその名称の前部に「自車」と付与し、本発明に係る情報出力装置としての他車両に関するものにはその名称の頭部に「他車」と付与する。また、図２は自車情報収集装置１及び他車情報収集装置１に対応するフローチャート、図３及び図４は自車情報収集装置１に対応するフローチャートである。
【００５２】
まず、自車及び他車の情報記憶部５に楽曲等のコンテンツ情報を記憶させる際には、自車及び他車の制御部９は制御プログラムを実行し、その楽曲の曲名やアーティスト名等のコンテンツ付随情報をＣＤＤＢ等から取得して、コンテンツ情報と関連付けて自車及び他車の情報記憶部５に記憶させる。
【００５３】
次に、図２に示すように、自車制御部９は、ドライバーからの楽曲提案の指示（情報送信要求）がなされた場合（ステップＳ１）には、自車情報収集装置１における情報収集モードがＯＮになり、自車制御部９は、収集工程として、自車通信部４を制御して、周辺車両の他車情報収集装置（情報出力装置）１の外部装置（他車通信部４）に対する情報送信要求（通信開始信号）を出力させる（ステップＳ２：収集ステップ）。
【００５４】
一方、他車制御部９において、他車通信部４に自車からの情報送信要求が受信された場合（ステップＳ１１）には、他車制御部９は、通信出力工程として、現在何かのデバイスを再生中であるか否かの判定を行う（ステップＳ１２：通信出力ステップ）。ここで、現在何も再生していない場合、何も再生していない旨を無効情報として他車通信部４から送信させる（ステップＳ１７：通信出力ステップ）。
【００５５】
これに対し、何か再生中であるときには、次に、他車オーディオ再生装置２を再生中か否かの判定を行う（ステップＳ１３：通信出力ステップ）。ここで、他車オーディオ再生装置２を再生中であるときには、他車情報記憶部５から曲名やアーティスト名等の楽曲に関する情報（コンテンツ付随情報）を読み出し、他車通信部４から送信させることで、通信出力工程を実行させる（ステップＳ１４：通信出力ステップ）。
【００５６】
これに対し、他車オーディオ再生装置２を再生中でないときには、次に、他車ラジオチューナー３でラジオを再生中（受信中）か否かの判定を行う（ステップＳ１５：通信出力ステップ）。ここで、ラジオを再生中であるときには、他車情報記憶部５からラジオ局の周波数情報（コンテンツ付随情報）を読み出し、他車通信部４から送信させることで、通信出力工程を実行させる（ステップＳ１６：通信出力ステップ）。このとき、ラジオで流している曲の曲名やアーティスト名を受信していれば、これを合わせて出力するようにしても良い。
これに対し、ラジオも再生中でないときには、自車情報収集装置１では対応していないデバイスで何か再生しているということになり、再生していないという旨の無効情報を他車通信部４から送信させる（ステップＳ１７：通信出力ステップ）。
【００５７】
そして、図２に示すように、外部装置（他車通信部４）から送信されたコンテンツ付随情報が、自車通信部４に受信されると、自車制御部９は、収集工程として、当該コンテンツ付随情報を自車情報記憶部５に記憶する（ステップＳ３：収集ステップ）。
【００５８】
次に、自車制御部９は、ステップＳ４〜Ｓ６において、情報出力工程（情報出力ステップ）を行う。以下、詳述する。
まず、自車制御部９は、検索を終了するか否かの判定を行う（ステップＳ４）。検索を終了する場合としては、例えば情報送信要求に対して通信可能な車両がもう存在していない場合や、車１００台分等の所定量の情報を収集し終わった場合、情報を収集し始めてから１時間等の所定時間が経過した場合等が挙げられる。ここで、まだ検索を終了する条件が整っていない場合には、Ｓ２に戻って情報送信要求を続ける。
【００５９】
これに対し、検索終了条件が整っている場合には、自車制御部９は、情報記憶部５に記憶された複数のコンテンツ付随情報からランキングを作成する（ステップＳ５）。そして、自車制御部９は、ランキング結果を情報出力部８の表示部１０に表示し、自車エージェント情報用記憶部６に記憶されたエージェントのエージェント情報（画像データ及び音声データ）に基づき、自車情報出力部７の表示部１０でエージェントのキャラクタ画像を表示させると共に、自車情報出力部７の音声出力部１２から同じエージェントの音声を出力させることでランキング結果を出力し、ドライバーにランキング情報を通知して（ステップＳ６）、処理を終了する。
【００６０】
なお、このときの情報出力工程では、歌番組の司会者風やＤＪ風のキャラクタ等のエージェント画像・音声が割り当ててあり、自車制御部９は、当該エージェントが提供、案内するように制御する。
【００６１】
次に、自車情報出力部７の自車表示部１０に表示されたランキングをドライバーが見て、そのランキングを参考にしてコンテンツ選択を行うときの流れの一例について、図３を参照して説明する。
まず、自車制御部９は、表示部１０にラジオを選択するかどうかの表示を行う等により、ドライバーがラジオを指定するか否かの判定を行う（ステップＳ２１）。ここで、ドライバーが入力部７から入力してラジオを指定したときには、自車制御部９は、ラジオチューナー３をＯＮにして（ステップＳ２２）、その周波数をラジオ１位の周波数にセットする（ステップＳ２３）。
【００６２】
これに対し、ドライバーが入力部７から入力してラジオを指定しなかったときには、自車制御部９は、オーディオ再生装置２をＯＮにする（ステップＳ２４）。次に、ＨＤＤ（情報記憶部５）にランキングに入った楽曲があるか否かの判定を行う（ステップＳ２５）。このとき、収集した情報全てに対してランキングを作成（１位〜最も人気のない楽曲まで）していれば、収集した楽曲全てを対象としてランキングに入った楽曲があるか否かの判定を行い、ランキングを作成する際に、１位〜１０位以内や１位〜２０位以内等のランキングを作成していれば、当該順位に入った楽曲があるか否かの判定を行う。
【００６３】
ここで、ランキングに入った楽曲がある場合には、当該楽曲を再生する（ステップＳ２６）。また、ランキングに入った楽曲がない場合には、ランキングに入った楽曲を購入お勧めリストに追加し、ドライバーが次回に楽曲を購入する際の参考にしてもらうようにする。このとき、エージェントから「次回の購入時に、お勧めです。」等のコメントを出すようにしても良い。
【００６４】
その後、再生終了か否かの判定を行う（ステップＳ２８）。再生終了の条件としては、例えばランキングに入っていて、情報記憶部５に記憶されている楽曲を全て再生した場合や、ランキングに入っている楽曲を所定曲数（例えば１０曲等）再生した場合などが挙げられる。ここで、再生終了の条件を満たしていれば、ランキングに基づく楽曲再生処理を終了する。また、再生終了の条件を満たしていなければ、Ｓ２５に戻って別の楽曲があるかどうかの判定を行う。
【００６５】
次に、自車情報出力部７の自車表示部１０に表示されたランキングをドライバーが見て、そのランキングを参考にしてコンテンツ選択を行うときの流れの他の例について、図４を参照して説明する。なお、この例は、自車情報収集装置１がインターネットの楽曲配信サイト等に接続可能となっていることを前提とする。
まず、制御部９は、表示部１０にラジオを選択するかどうかの表示を行う等により、ドライバーがラジオを指定するか否かの判定を行う（ステップＳ３１）。ここで、ドライバーが入力部７から入力してラジオを指定したときには、自車制御部９は、ラジオチューナー３をＯＮにして（ステップＳ３２）、その周波数をラジオ１位の周波数にセットする（ステップＳ３３）。
【００６６】
これに対し、ドライバーが入力部７から入力してラジオを指定しなかったときには、自車制御部９は、オーディオ再生装置２をＯＮにする（ステップＳ３４）。次に、ＨＤＤ（情報記憶部５）にランキングに入った楽曲があるか否かの判定を行う（ステップＳ３５）。このとき、収集した情報全てに対してランキングを作成（１位〜最も人気のない楽曲まで）していれば、収集した楽曲全てを対象としてランキングに入った楽曲があるか否かの判定を行い、ランキングを作成する際に、１位〜１０位以内や１位〜２０位以内等のランキングを作成していれば、当該順位に入った楽曲があるか否かの判定を行う。
【００６７】
ここで、ランキングに入った楽曲がある場合には、当該楽曲を再生する（ステップＳ３６）。また、ランキングに入った楽曲がない場合には、インターネットの楽曲配信サイトに接続して（ステップＳ３７）、当該楽曲を購入するか否かの判定を行う（ステップＳ３８）。
ここで、楽曲を購入するとした場合には、楽曲をダウンロードし（ステップＳ３９）、ダウンロードした楽曲を再生する（ステップＳ３６）。また、楽曲を購入しないとした場合には、そのままＳ４０へ行く。なお、このとき、購入お勧めリストには当該楽曲を追加するようになっていても良い。さらに、エージェントから「次回は、購入してみては？」等のコメントを出すようにしても良い。
【００６８】
その後、再生終了か否かの判定を行う（ステップＳ４０）。再生終了の条件としては、例えばランキングに入っていて、情報記憶部５に記憶されている楽曲を全て再生した場合や、ランキングに入っている楽曲を所定曲数（例えば１０曲等）再生した場合などが挙げられる。ここで、再生終了の条件を満たしていれば、ランキングに基づく楽曲再生処理を終了する。また、再生終了の条件を満たしていなければ、Ｓ３５に戻って別の楽曲があるかどうかの判定を行う。
【００６９】
以上のように、本実施形態によれば、通信により外部装置（情報出力装置）のコンテンツ付随情報が情報収集装置に収集されるので、異なる装置間でコンテンツ付随情報が共有されることになる。そして、収集した複数のコンテンツ付随情報を集計して、集計結果を出力することが可能となる。これにより、いわゆる「はやり」や他人の嗜好を取り入れたランキングを作成し、そのランキングを元にコンテンツの再生を行うことで、コンテンツ再生に変化を付けることができ、興趣性を高めることができる。
【００７０】
また、エージェント情報に基づいた情報を出力することで、あたかもエージェントによって情報の案内がもたらされたかのように見え、娯楽性を持たせてドライバーの興趣性を高めることができる。
【００７１】
また、表示手段中に表示されたエージェントによって情報の案内が実行されるので、それらを案内するエージェントを視認することができ、より娯楽性を持たせてドライバーの興趣性をさらに高めることができる。
【００７２】
また、複数のエージェントのエージェント情報を記憶しており、情報の種類に応じて、異なるエージェントのエージェント情報を出力することで、ドライバーを飽きさせずに興趣性をより高めることができる。
【００７３】
なお、情報収集装置による情報の収集は、周辺車両との通信が可能であれば、停車時に行っても良いし、走行中に行っても良い。
【００７４】
また、本発明は上記実施形態に限らず適宜変更可能であるのは勿論である。
例えば、本実施形態の情報収集装置（情報出力装置としての機能を含む）は、本発明に係る機能のみを備えた独立した装置であるが、これに限るものではなく、例えば車載機器としてナビゲーション等の他の機能を備えた装置であって、情報収集装置の機能が、当該車載機器に組み込まれた機能の１つであっても良い。
また、情報収集装置、情報出力装置は、車載の装置に限るものではなく、例えば携帯音楽プレイヤー、携帯電話等のポータブルオーディオ装置に情報収集機能、情報出力機能を有するようになっていても良い。
【図面の簡単な説明】
【００７５】
【図１】本実施形態に係る情報収集システムを構成する情報収集装置の主制御構成を表すブロック図である。
【図２】図１の情報収集装置としての自車情報収集装置及び情報出力装置としての他車情報収集装置に対応するフローチャートである。
【図３】図１の情報収集装置としての自車情報収集装置に対応するフローチャートである。
【図４】図１の情報収集装置としての自車情報収集装置に対応するフローチャートである。
【符号の説明】
【００７６】
１      情報収集装置（情報出力装置）
２      オーディオ再生装置（再生手段）
３      ラジオチューナー（放送受信手段）
４      通信部（通信手段）
５      情報記憶部（情報記憶手段）
６      エージェント情報用記憶部（エージェント情報用記憶手段）
７      入力部（入力手段）
８      情報出力部（情報出力手段）
９      制御部（制御手段）
１０      表示部（表示手段）
１１      音声処理部
１２      音声出力部
【図１】
2007148610.tif 000003
【図２】
2007148610.tif 000004
【図３】
2007148610.tif 000005
【図４】
2007148610.tif 000006